(57)【要約】【課題】幅の狭い場所で水中の雑草を駆除する。【解決手段】水中雑草駆除装置１は、ホーク５とメインパイプ４とで構成される駆除ホークを備える。ホーク５は、爪板５Ｂ３が取り付けられた複数の単体ホーク５Ｂで構成されており、メインパイプ４の中心軸を回転の中心として回転可能である。水中の雑草を駆除するとき、まず、水中雑草駆除装置１を水中の斜面の傾きの方向と垂直に向かせる。次に、爪板５Ｂ３の下辺が斜面と平行になるまでホーク５をメインパイプ４に対して回転させて爪板５Ｂ３の下辺を斜面と平行にする。そして、ホーク５の爪板５Ｂ３を斜面に当接して、ホーク５をバックホウ部２側に引っ張ることで雑草を駆除する。【選択図】図７
2014033623.tif 000002
【特許請求の範囲】
【請求項１】
バックホウ部、およびメインパイプとホークとを有する駆除ホークを備える水中雑草駆除装置を用いて水中の斜面の雑草を駆除する水中雑草駆除方法であって、
前記水中雑草駆除装置を斜面の傾きの方向と垂直に向かせるステップと、
前記ホークを構成する複数の単体ホークに取り付けられた爪板の下辺が斜面と平行になるまで前記ホークを前記メインパイプに対して回転させるステップと、
前記爪板を斜面に当接して、前記ホークを前記バックホウ部側に引っ張ることで雑草を駆除するステップと、
を備えることを特徴とする水中雑草駆除方法。
【請求項２】
前記各単体ホークに取り付けられた爪板が、正面から見た場合に、上辺と底辺が垂直をなし、下辺が底辺に対して斜めになった正面台形の形状をしていることを特徴とする請求項１に記載の水中雑草駆除方法。
【請求項３】
前記斜面が垂直の壁であり、
前記水中雑草駆除装置を斜面の傾きの方向と垂直に向かせるステップにおいて、前記水中雑草駆除装置を前記垂直の壁と平行に位置させる、
ことを特徴とする請求項２に記載の水中雑草駆除方法。
【請求項４】
正面から見た場合に、上辺と底辺が垂直をなし、下辺が底辺に対して斜めになった正面台形の形状をしている爪板と、
前記爪板が取り付けられた複数の単体ホークで構成されるホークと、
前記ホークが、中心軸を回転の中心として回転可能に取り付けられたメインパイプと、
を備えることを特徴とする駆除ホーク。
【請求項５】
バックホウ部と、
前記バックホウ部に連結された請求項４に記載の駆除ホークと、
を備えることを特徴とする水中雑草駆除装置。
【発明の詳細な説明】
【技術分野】
【０００１】
本発明は、海底や川床に生えている雑草を駆除するための水中雑草駆除方法、駆除ホークおよび水中雑草駆除装置に関する。
【背景技術】
【０００２】
昆布の生育地等に繁茂する雑草を駆除する海底における雑草駆除装置が知られている（例えば、特許文献１参照。）。
この雑草駆除装置は、海上に浮かぶバックホウ部と、このバックホウ部に連結されており、海中に延びる駆除ホークとで構成される。雑草駆除装置は海上を前後左右に走行することができ、海底の雑草の位置に合せて柔軟に移動しながら海底の雑草を駆除することができる。
【先行技術文献】
【特許文献】
【０００３】
【特許文献１】特開Ｈ７−１１５８８８号公報
【発明の概要】
【発明が解決しようとする課題】
【０００４】
しかし、上述した雑草駆除装置は、駆除ホークを延ばしたときに前後の長さが２０ｍにも達する。このような雑草駆除装置では、狭い川や人工の養殖池等のような幅の狭い場所で雑草を駆除することは困難である。
【０００５】
本発明の目的は、幅の狭い場所で水中の雑草を駆除することができる水中雑草駆除方法、駆除ホークおよび水中雑草駆除装置を提供することである。
【課題を解決するための手段】
【０００６】
上述した課題を解決するために、本発明の水中雑草駆除方法は、
バックホウ部、およびメインパイプとホークとを有する駆除ホークを備える水中雑草駆除装置を用いて水中の斜面の雑草を駆除する水中雑草駆除方法であって、
前記水中雑草駆除装置を斜面の傾きの方向と垂直に向かせるステップと、
前記ホークを構成する複数の単体ホークに取り付けられた爪板の下辺が斜面と平行になるまで前記ホークを前記メインパイプに対して回転させるステップと、
前記爪板を斜面に当接して、前記ホークを前記バックホウ部側に引っ張ることで雑草を駆除するステップと、
を備えることを特徴とする。
【０００７】
好ましくは、本発明の水中雑草駆除方法は、
前記各単体ホークに取り付けられた爪板が、正面から見た場合に、上辺と底辺が垂直をなし、下辺が底辺に対して斜めになった正面台形の形状をしていることを特徴とする。
【０００８】
好ましくは、本発明の水中雑草駆除方法は、
前記斜面が垂直の壁であり、
前記水中雑草駆除装置を斜面の傾きの方向と垂直に向かせるステップにおいて、前記水中雑草駆除装置を前記垂直の壁と平行に位置させる、
ことを特徴とする。
【０００９】
また、本発明の駆除ホークは、
正面から見た場合に、上辺と底辺が垂直をなし、下辺が底辺に対して斜めになった正面台形の形状をしている爪板と、
前記爪板が取り付けられた複数の単体ホークで構成されるホークと、
前記ホークが、中心軸を回転の中心として回転可能に取り付けられたメインパイプと、
を備えることを特徴とする。
【００１０】
また、本発明の水中雑草駆除装置は、
バックホウ部と、
前記バックホウ部に連結された請求項４に記載の駆除ホークと、
を備えることを特徴とする。
【発明の効果】
【００１１】
本発明によれば、幅の狭い場所で水中の雑草を駆除することができる。
【図面の簡単な説明】
【００１２】
【図１】水中雑草駆除装置の構成の一例を示す正面図である。
【図２】図１の水中雑草駆除装置の側面図である。
【図３】駆除ホークの一例を背面方向から見た斜視図である。
【図４】図３の駆除ホークの一部を切り欠いた要部拡大側面図である。
【図５】Ａ−Ａ線拡大端面図である。
【図６】斜面の雑草を駆除する方法の一例を示す図である。（Ａ）水中雑草駆除装置を上方から見た図である。（Ｂ）水中雑草駆除装置を右側面方向から見た図である。
【図７】本発明の第１の実施形態に係る水中雑草駆除方法の一例を示す図である。（Ａ）水中雑草駆除装置を上方から見た図である。（Ｂ）駆除ホークを背面方向から見た図である。
【図８】本発明の第１の実施形態に係る水中雑草駆除方法の流れの一例を示す図である。
【図９】本発明の第２の実施形態に係る駆除ホークの爪板の一例を示す図である。（Ａ）爪板の形状の一例を示す正面図である。（Ｂ）駆除ホークを正面方向から見た図である。
【図１０】本発明の第２の実施形態に係る水中雑草駆除方法の一例を示す図である。
【図１１】本発明の第３の実施形態に係る水中雑草駆除方法の一例を示す図である。（Ａ）水中雑草駆除装置を上方から見た図である。（Ｂ）駆除ホークを背面方向から見た図である。
【図１２】水中雑草駆除装置の大きさの一例を示す図である。
【発明を実施するための形態】
【００１３】
以下、本発明の実施形態に係る水中雑草駆除方法、駆除ホークおよび水中雑草駆除装置について図面を参照しながら詳細に説明する。なお、実施形態を説明する全図において、共通の構成要素には同一の符号を付し、繰り返しの説明を省略する。
【００１４】
図１は、水中雑草駆除装置１の構成の一例を示す正面図である。図２は、図１の水中雑草駆除装置１の側面図である。
水中雑草駆除装置１は、バックホウ部２と、バックホウ部２に連結された駆除ホーク３とから構成されている。
バックホウ部２は、バックホウ２Ａと、バックホウ２Ａに装着されたアウトリガー２Ｂと、補助フロート２Ｃと、船体フロート２Ｄとから構成されている。補助フロート２Ｃと船体フロート２Ｄは枠２Ｈによってバックホウ２Ａに取付けられる。アウトリガー２Ｂは、作業時は海底に設置固定される。左右の補助フロート２Ｃは、作業時、走行時の横揺れを少なくするものである。バックホウ２Ａの前面からブーム２Ｅ、アーム２Ｆ、およびシリンダー２Ｇが延びる。
駆除ホーク３は、アーム２Ｆとシリンダー２Ｇの先端にアーム２Ｆの長手方向に延長した状態で連結されたメインパイプ４と、メインパイプ４の先端に連設されているホーク５とから構成されている。
【００１５】
図３は、駆除ホーク３の一例を背面方向から見た斜視図である。図４は、図３の駆除ホーク３の一部を切り欠いた要部拡大側面図である。
メインパイプ４は、所定の長さのメインパイプ体４Ａと、メインパイプ体４Ａの後端に設けられたアーム２Ｆとシリンダー２Ｇへの連結金物４Ｂと、メインパイプ体４Ａの先端に設けられたホーク５への連結金物４Ｃとから構成されている。アーム２Ｆとシリンダー２Ｇへの連結金物４Ｂは、メインパイプ体４Ａの後端面に当接されたプレート４Ｂ１と、このプレート４Ｂ１の後面に突設された突片４Ｂ２とで構成されており、この突片４Ｂ２にはアーム２Ｆとシリンダー２Ｇとを連結するピン（図示略）の貫入穴４Ｂ２１が開設されている。ホーク５への連結金物４Ｃは、メインパイプ体４Ａの前端面中央に突設された連結ボルト４Ｃ１と、メインパイプ体４Ａの外周における前端近傍部分に突設された突片４Ｃ２とを有する。
【００１６】
また、ホーク５は、水平状態の角パイプでなる横枠５Ａと、この横枠５Ａの正面部に当該横枠５Ａと直交する状態で併設された適数本のホーク単体５Ｂと、横枠５Ａの背面側中央部に斜め上方に向け設けられたメインパイプ用受金物５Ｃとから構成されている。なお、このメインパイプ用受金物５Ｃの取付角度５Ｃ４は４５度程度である。
ホーク単体５Ｂは、下面が開口している上方角パイプ５Ｂ１と、この上方角パイプ５Ｂ１に摺動自在に嵌合された下面が密閉されている下方角パイプ５Ｂ２と、この下方角パイプ５Ｂ２の下面に連設された３枚の爪板５Ｂ３とから構成される。爪板５Ｂ３は、正面から見ると方形（以下、正面方形という。）の形状である。下方角パイプ５Ｂ２の上端面に植設された丸棒５Ｂ４は上方角パイプ５Ｂ１の上端面を貫通しており、その上端にはナット５Ｂ４１が螺合されている。上方角パイプ５Ｂ１には常に下方角パイプ５Ｂ２を下方に押圧するコイルスプリング５Ｂ５が配設されている。
【００１７】
メインパイプ用受金物５Ｃは、横枠５Ａの背面側中央部に斜め上方に向け設けられた上面が開口している角パイプ５Ｃ１で構成される。この角パイプ５Ｃ１の底にはボルト穴５Ｃ２が開設されており、この角パイプ５Ｃ１の側面上端にはメインパイプ体４Ａの突片４Ｃ２が遊嵌する切欠き５Ｃ３が刻設されている。そして、突片４Ｃ２を切欠き５Ｃ３に遊嵌させながらメインパイプ４における連結金物４Ｃがメインパイプ用受金物５Ｃ内に挿入され、底部のボルト穴５Ｃ２には連結ボルト４Ｃ１が貫入連結されている。
この構造により、図５に示すように、ホーク５は、メインパイプ４の中心軸上に位置する連結ボルト４Ｃ１を回転の中心として（メインパイプ４の中心軸を回転の中心として）切欠き５Ｃ３の幅の範囲（例えば、左右４５度）で回転することができる。
【００１８】
図６は、斜面の雑草を駆除する方法の一例を示す。図中の矢印は、斜面の傾きの方向を示す。
坂になった海底等の雑草を駆除する場合、通常斜面に向かい合うように水中雑草駆除装置１を位置させる。そして、ホーク５の爪板５Ｂ３を海底に当接して、ホーク５をバックホウ部２側に引っ張ることで雑草を駆除する。
【００１９】
図７は、本発明の第１の実施形態に係る水中雑草駆除方法の一例を示す。図８は、本発明の第１の実施形態に係る水中雑草駆除方法の流れの一例を示す。
本発明の第１の実施形態に係る水中雑草駆除方法では、水中雑草駆除装置１を斜面の傾きの方向と垂直に向かせる（Ｓ１１）。次に、爪板５Ｂ３の下辺が斜面と平行になるまでホーク５をメインパイプ４に対して回転させて爪板５Ｂ３の下辺を斜面と平行にする（Ｓ１２）。このとき、横枠５Ａは斜面と平行である。そして、ホーク５の爪板５Ｂ３を斜面に当接して、ホーク５をバックホウ部２側に引っ張ることで雑草を駆除する（Ｓ１３）。
【００２０】
ホーク単体５Ｂは爪板を交換することができる。本発明の第２の実施形態に係る水中雑草駆除方法では、図９に示すように、正面方形の爪板５Ｂ３の代わりに、爪板５Ｂ６を各ホーク単体５Ｂに取り付ける。爪板５Ｂ６は、正面から見ると、上辺と底辺（下底および上底）が垂直をなし、下辺が底辺に対して斜めになった台形（以下、正面台形という。）の形状をしている。本発明の第２の実施形態に係る水中雑草駆除方法は、この点が第１の実施形態と異なる。
本発明の第２の実施形態に係る水中雑草駆除方法でも、図１０に示すように、第１の実施形態と同様に、ステップＳ１２において、爪板５Ｂ６の下辺が斜面と平行になるまでホーク５をメインパイプ４に対して回転させて爪板５Ｂ６の下辺を斜面と平行にする。ただし、このとき、第１の実施形態と異なり、横枠５Ａは斜面に対して傾いている。ステップＳ１１とＳ１３は、第１の実施形態と第２の実施形態とで同様である。
【００２１】
図１１は、本発明の第３の実施形態に係る水中雑草駆除方法の一例を示す。図１１は、垂直の壁７に生えた雑草を駆除する例である。
本発明の第３の実施形態に係る水中雑草駆除方法では、下底と下辺とのなす角度が例えば４５度である正面台形の爪板５Ｂ６を各ホーク単体５Ｂに取り付ける。そして、ステップＳ１１において、水中雑草駆除装置１を垂直の壁７と平行に位置させ、ステップＳ１２においてメインパイプ４と横枠５Ａのなす角度が４５度になるまで（各単体ホーク５Ｂに取り付けられた爪板５Ｂ６の下辺が垂直の壁７と平行になるまで）ホーク５を回転させる。ステップＳ１３では、ホーク５の爪板５Ｂ６を垂直の壁７に当接して、ホーク５をバックホウ部２側に引っ張ることで雑草を駆除する。
【００２２】
実際に使用されている雑草駆除装置１は、図１２に示すように、駆除ホーク３を延ばしたときに前後の長さが約２０ｍにも達するが、その幅は約９ｍに過ぎない。
図６に示すように、斜面に向かい合うように水中雑草駆除装置１を位置させて雑草を駆除する場合には、幅が２０ｍ以下の川や人工の養殖池等のような細長い場所の雑草を駆除することは困難である。
一方、本発明によれば、幅が９ｍ以上あれば、図１２に示す雑草駆除装置１を用いて、水中の雑草を駆除することができる。このように、本発明によれば、幅の狭い場所で水中の雑草を駆除することができる。
【００２３】
なお、本発明は、水中の雑草の駆除のほか、岩盤に付着した貝の除去等にも適用することができる。
【００２４】
以上、本発明の実施形態について説明したが、設計上の都合やその他の要因によって必要となる様々な修正や組み合わせは、請求項に記載されている発明や発明の実施形態に記載されている具体例に対応する発明の範囲に含まれるものとする。
【符号の説明】
【００２５】
１…水中雑草駆除装置、２…バックホウ部、３…駆除ホーク、４…メインパイプ、４Ｃ…ホーク５への連結金物、５…ホーク、５Ａ…横枠、５Ｂ…ホーク単体、５Ｂ１…上方角パイプ、５Ｂ２…下方角パイプ、５Ｂ３…正面方形の爪板、５Ｂ４…丸棒、５Ｂ５…コイルスプリング、５Ｂ６…正面台形の爪板、５Ｃ…メインパイプ用受金物
【図１】
2014033623.tif 000003
【図２】
2014033623.tif 000004
【図３】
2014033623.tif 000005
【図４】
2014033623.tif 000006
【図５】
2014033623.tif 000007
【図６】
2014033623.tif 000008
【図７】
2014033623.tif 000009
【図８】
2014033623.tif 000010
【図９】
2014033623.tif 000011
【図１０】
2014033623.tif 000012
【図１１】
2014033623.tif 000013
【図１２】
2014033623.tif 000014